(57)【要約】      （修正有）【課題】人体各部位の按摩に対応でき、自助式、省力で、有効な按摩を行える按摩装置を提供する。【解決手段】按摩装置は、一対の長桿を包含し、各長桿は複数の調整孔を具え、調整孔の反対側に複数の位置決め溝を具え、一対の按摩球が連接手段で長桿の任意の調整孔中に結合される。別に帯体を包含し、該帯体はその両開放端が二つの長桿の一つの端孔より挿入され、並びに端孔に接近する側孔より引き出され、該帯体の該長桿の側孔より引き出された二つの開放端はそれぞれフック体に結合され、該フック体が長桿の任意の一つの位置決め溝に係止される。【選択図】図１
0003164595.tif 000002
【実用新案登録請求の範囲】
【請求項１】
按摩装置において、
一対の長桿であって、各該長桿は複数の調整孔と、これら調整孔の反対側に設けられた複数の位置決め溝を具え、該長桿の一端に端孔が設けられ、該端孔に近い、該位置決め溝が設けられた面に、側孔が設けられ、該側孔と該端孔は連通する、上記一対の長桿と、
帯体であって、該帯体の二つの開放端はそれぞれ二つの該長桿の該端孔より挿入され、並びに該側孔より引き出される、上記帯体と、
一対のフック体であって、各該フック体はそれぞれ該長桿の該側孔より引き出された該帯体の開放端に結合され、該フック体は該長桿のそのうち一つの該位置決め溝に係止される、上記一対のフック体と、
一対の按摩球であって、各該按摩球は連接手段で該長桿の任意の一つの該調整孔中に結合される、上記一対の按摩球と、
を包含したことを特徴とする、按摩装置。
【請求項２】
請求項１記載の按摩装置において、該長桿の別端に接続される延伸桿をさらに包含したことを特徴とする、按摩装置。
【請求項３】
請求項２記載の按摩装置において、該延伸桿はピンで該長桿の別端に接続されることを特徴とする、按摩装置。
【請求項４】
請求項２記載の按摩装置において、該長桿の該別端及び該延伸桿の該長桿の自由端近くに滑り止め桿面が設けられたことを特徴とする、按摩装置。
【請求項５】
請求項１記載の按摩装置において、該長桿の複数の調整孔はネジ孔とされ、該按摩球を結合させるための該連接手段はスクリューとされたことを特徴とする、按摩装置。
【請求項６】
請求項１記載の按摩装置において、該長桿の複数の調整孔は直孔とされ、該按摩球を結合させるための該連接手段はピンとされたことを特徴とする、按摩装置。
【請求項７】
請求項１記載の按摩装置において、該長桿の該位置決め溝が設けられた桿面に強化層が設けられたことを特徴とする、按摩装置。
【請求項８】
請求項１記載の按摩装置において、該一対の按摩球が一対の表面が滑らかな円球とされたことを特徴とする、按摩装置。
【請求項９】
請求項１記載の按摩装置において、該一対の按摩球のうち、少なくとも一つの按摩球の表面に少なくとも一つの突出物が設けられたことを特徴とする、按摩装置。
【請求項１０】
請求項９記載の按摩装置において、該按摩球の突出物の垂直反対側の球面には連接孔が設けられたことを特徴とする、按摩装置。
【考案の詳細な説明】
【技術分野】
【０００１】
本考案は一種の按摩装置にかかり、特に一種の、二つの長桿を具え、長桿上に位置調整可能な按摩球を具え、及び二つの長桿の間を連接する帯体を具え、帯体が二つの長桿の間の距離を調整でき、これにより、手動で、自助式で、人体の全身部位に対応する按摩装置に関する。
【背景技術】
【０００２】
人々はあまり厳重でない疾病にかかる時、通常、薬で治療するか或いは自然治癒に任せる。肉体上の疼痛に対しては、西洋人の習慣は痛み止めにより制圧し、東洋人は湿布や塗り薬を使用する。このほか、東洋人は按摩により、表層の疼痛を和らげるほか、深層の疾病の治療を行う。
【０００３】
東洋では、自分で按摩を行うことのできる器具が日常生活で見受けられ、電動式や複雑な按摩器具から簡単な手動按摩器具まで各種のものがある。電動按摩機については、按摩力が十分で楽に操作できることが長所で、欠点は電力を必要とし、価格が高いことである。これに対して、手動按摩器具の長所は、電力を必要とせず、且つ電動按摩機に較べて価格が安いことであるが、その欠点は、操作する人力の違いにより、按摩効果が一定しないことであり、且つ長時間操作しすぎると、疲労しやすいことである。このほか、電動式或いは手動式のいずれも、共同の欠点は、単一の按摩器具は人体のある部位のみの按摩のために設計され、全身部位に使用できないことである。さらに、手動按摩器具は自己操作時に、姿勢の関係で人体のある部位に対して正確で有効な按摩が行えず、例えば背部は自己按摩を行ないにくい。
【０００４】
既存の技術中、例えば特許文献１及び特許文献２のような有用な手動按摩工具が提供されている。しかし、これら特許技術は上述したように、ただ人体のある部位、例えば、頸部、肩部及び腿部など比較的細い部分には良好な按摩効果を有する。しかし、其の他の、例えば背部、腰部など比較的広い部分には特筆すべき効果は有さない。これまで、人体の各部に対して有効な按摩を行える手動按摩器具は提供されていない。
【先行技術文献】
【特許文献】
【０００５】
【特許文献１】台湾特許第ＴＷ２３５４７５号明細書
【特許文献２】台湾特許第ＴＷ３８６４３５号明細書
【考案の概要】
【考案が解決しようとする課題】
【０００６】
周知の按摩器具、特に手動按摩器具は上述の欠点を有し、これにより、本考案は一種の按摩装置を提供することを目的とし、それは、周知の手動按摩器具が人体のある部位のみにしか有効な按摩を行えないという問題を解決するものとする。
【課題を解決するための手段】
【０００７】
本考案の按摩装置は、一対の長桿を包含し、各長桿は複数の調整孔と、これら調整孔の反対側に設けられた複数の位置決め溝を具え、該長桿の一端に端孔が設けられ、該端孔に近い、該位置決め溝が設けられた面に、側孔が設けられ、且つ該側孔と該端孔は連通する。さらに一つの帯体が設けられ、該帯体の二つの開放端はそれぞれ二つの該長桿の該端孔より挿入され、並びに該側孔より引き出される。一対のフック体が設けられ、該フック体はそれぞれ該長桿の該側孔より引き出された該帯体の開放端に結合され、並びに該フック体は該長桿のそのうち一つの該位置決め溝に係止され、及び、一対の按摩球が連接手段で該長桿の任意の一つの該調整孔中に結合される。
【０００８】
上述の本考案の按摩装置は、該フック体が該長桿のそのうち任意の一つの該位置決め溝に係止されることにより二つの該長桿間の距離が調整され、並びに該按摩球の該長桿上での位置調整が組み合わされることで、多種類の按摩位置を構成可能である。これにより、本考案の按摩装置は周知の手動按摩器具にはない長所を具備し、すなわち、人体の全ての部位の按摩操作に適用可能である特性を有し、この特性に加え、該長桿の長い施力アームが省力、大作用力の特性を有するため、使用者が按摩したい部分の疼痛程度に応じて自分で按摩力を制御して、楽に有効な按摩を行うことができる。
【０００９】
上述の按摩装置は、さらに延伸桿を有し、該延伸桿は長桿の別端に接続可能で、大幅或いは大距離で操作しにくい按摩点に応用され、操作に便利で按摩の動作を優雅に行うことができる。
【００１０】
上述の按摩装置は、さらに強化層が該長桿の該位置決め溝の設けられた桿面に設けられ、これにより位置決め溝の構造強度が強化されている。
【００１１】
上述の按摩装置は、そのうち一対の按摩球がいずれも表面が滑らかな円球とされるか、或いはそのうち一つの按摩球の表面は少なくとも一つの突出物を有するものとされるか、或いは一対のいずれも突出物を有する按摩球とされる。
【考案の効果】
【００１２】
本考案の按摩装置は、人体各部位の按摩に対応でき、自助式で省力で、有効な按摩を行える。
【図面の簡単な説明】
【００１３】
【図１】本考案の按摩装置の構造組合せ立体図である。
【図２】本考案の按摩装置の構造組合せ断面図である。
【図３】本考案の按摩装置の長桿の位置決め溝の部分構造詳図であり、位置決め溝表面に強化層を具備したことを示す。
【図４】本考案の按摩装置の肩部への使用表示図である。
【図５】本考案の按摩装置の背部への使用表示図である。
【図６】本考案の按摩装置の人体の其の他の部位への使用表示図である。
【図７】本考案の按摩装置の構造及び延伸桿の立体分解図である。
【図８】本考案の按摩装置の別の応用携帯の立体図であり、二つの長桿と二つの延伸桿が並列配列されて別の組合せを構成している。
【図９Ａ】本考案の按摩装置の按摩球の別の形状の立体図である。
【図９Ｂ】本考案の按摩装置の按摩球の別の形状の立体図である。
【考案を実施するための形態】
【００１４】
本考案の技術内容、構造特徴、達成する目的を詳細に説明するため、以下に実施例を挙げ並びに図面を組み合わせて説明する。
【００１５】
図１、２に示されるように、本考案の実施例の按摩装置は、一対の長桿１０、一つの帯体２０、及び一対の按摩球４０を包含する。
【００１６】
該一対の長桿１０の各長桿１０は、複数の調整孔１１及び、該調整孔１１の反対側に設けられた複数の位置決め溝１２を有する。該調整孔１１の一端に端孔１３が設けられ、該端孔１３近くの位置決め溝１２が設けられた桿面に、さらに一つの側孔１４が設けられ、該側孔１４と該端孔１３は連通する。
【００１７】
該帯体２０は、その二つの開放端がそれぞれ二つの長桿１０の端孔１３より挿入されて並びに側孔１４より引き出され、並びに該帯体２０の該長桿１０の側孔１４より引き出された開放端に一対のフック体３０が結合され、並びに該フック体３０は長桿１０のそのうち一つの位置決め溝１２に係止される。
【００１８】
該一対の按摩球４０は連接手段５０により長桿１０の任意の調整孔１１中に結合される。
【００１９】
上述の本考案実施例の按摩装置は、そのうち長桿１０の調整孔１１が本実施例のようなネジ孔とされるか、或いは其の他のネジのない直通孔とされる。調整孔１１がネジ孔とされる時、按摩球４０の連接手段５０はスクリューとされる。反対に、調整孔１１が直通孔とされる時、按摩球４０に接続された連接手段５０は、しっかりと直通調整孔中を塞ぐピン（図示せず）とされる。連接手段５０は、単独の部品とされ得て、按摩球４０と調整孔１１の間を連接するものとされる。同様に、連接手段５０はまた按摩球４０の延伸部分とされるか、或いは長桿１０の桿面の複数突出柱体とされ得る。及び、連接手段５０の桿面はその固定効果により全部ネジ山付きの桿面とされるか、部分ネジ山付き桿面とされる。
【００２０】
上述の本考案実施例の按摩装置は、そのうち、長桿１０の位置決め溝１２が図３に示されるような、一側に楔形１２１が形成された溝型とされ得て、その目的は、フック体３０の係止力を強化することにある。当然、其の他の同じ効果を達成できる溝型とされてもよい。
【００２１】
このほか、本考案の操作按摩過程中の引張り力により、帯体２０、フック体３０及び位置決め溝１２が破壊されるのを防止するため、これらの部品は、抗引張り力のある材料で形成されるか、或いは強化の処置が施される。例えば、図３に示される実施例では、長桿１０の位置決め溝１２の桿面には強化層１５が設けられて、位置決め溝１２周囲の強度が強化されている。
【００２２】
上述の本考案実施例の按摩装置は、操作前に、フック体３０を適当な位置の位置決め溝１２中に係止し、及び按摩球４０を連接手段５０により長桿１０の任意の調整孔１１中に結合させて、二つの長桿１０の操作間距を調整して、操作者が二つの長桿１０の尾部を握持し並びに按摩球４０で按摩したい人体部位例えば頸部、肩部、背部、腹部或いは腿部を按摩することができ、帯体２０はやや緊張状態とされる。
【００２３】
本考案の実施例の按摩装置は位置決め溝１２が調整孔１１の反対側に設けられ、本考案の按摩装置を操作する時、上述の帯体の緊張状態を増して、帯体を脱落しにくくすることができる。しかし、帯体２０が脱落しないように強固に長桿１０に結合される時、位置決め溝１２は長桿１０の調整孔１１を設けた面とは異なる面に設けられ得る。
【００２４】
図４に示されるのは、本考案の好ましい実施例の按摩装置を人体肩部に作用させた状態の表示図である。二つの長桿１０の操作間距調整の後、操作者６０は両手６２で二つの長桿１０の尾部近くを握持し、並びに二つの按摩球４０を人体肩部６１上方を押しあて、両手６２で二つの長桿１０を外側に向けて引張り並びに下向きに押圧する（図中、矢印の方向）。こうして按摩球４０に肩部６１に対して下向きの圧力を発生させて、その部位の按摩の効果を達成する。
【００２５】
図５を参照されたい。図５は図４と同じく本実施例の按摩装置の操作方式を示す。操作者６０は両手６２で二つの長桿１０をその背部６３に回し、ならびに両外側に向けて一方は上に一方は下に引っ張る様に握持し、さらにそのうち下方に位置する長桿１０を支点とし、上方の長桿１０を下向きに押圧する（図中の矢印の方向）。これにより上方の按摩球４０に背部６３を押圧させ、その部位の按摩効果を達成する。
【００２６】
図４、５の按摩操作位置のほか、本考案の実施例の按摩装置はさらに人体の其の他の部位の按摩操作に用いることができる。例えば、図６に示されるように、本考案は頸部６４、腹部６５、或いは腿部６６、及び任意の想像可能な部位の按摩に使用できる。
【００２７】
上述した本考案の好ましい実施例の按摩装置は、さらに少なくとも延伸桿７０を包含してもよい。該延伸桿７０は長桿１０の尾端に接続可能で、これは図７に示されるとおりである。延伸桿７０の頭端はピン或いは図７に示されるスクリュー７１を具え、それが結合される長桿１０の尾端にはネジ孔１６が設けられる。その他の実施方式中、ピン或いはスクリュー７１は長桿１０の尾端に設けられてもよい。延伸桿７０は長桿１０の長さを延長するために設けられ、其の他の人体部位の按摩操作時に、良好な施力点を有する。例えば図５に示される背部按摩の場合、長桿１０の一方或いは両方に、延伸桿７０が接続され、按摩時に比較的長い施力アームを有するものとされて、これにより操作の省力と便利さを達成する。
【００２８】
上述の本考案実施例の按摩装置は、二つの長桿１０を握持して人体の按摩を行う以外に、長桿と延伸桿を結合して別の按摩装置を構成できる。例えば図８に示されるように二つの延伸桿７０を並列に二つの長桿１０の間に配し、ならびに挟持手段或いは結束帯７２でこれら棒材を強固に結束する。応用時には、これら棒材の、按摩球４０を設けた一面を上にして平面に置き、人体をこれら棒材の上方に寝かせ、並びに按摩したい部位を按摩球の上に置く。上述の応用の按摩球の数量及び設置位置、長桿及び延伸桿の組合せ数及び組合せ方式、及び人体のこれら棒材上方への横たわり位置は、いずれも実際の按摩の必要に応じて調整可能である。
【００２９】
上述の本考案の好ましい実施例の按摩装置は、一対の表面が滑らかな円球を按摩球としているが、円球形状以外の按摩球を使用してもよい。例えば、図９Ａ、図９Ｂに示されるような按摩球８０を使用可能であり、その球体表面には少なくとも一つの突出物、例えば角突出物８１、球集合体突出物８２及び柱集合体突出物８３があり、各突出物の垂直反対側球面にいずれもピン孔或いはネジ孔８１１、８２１、８３１が設けられている。同様に、按摩球８０の垂直反対側面にピン孔或いはネジ孔８０１が設けられ、前述の連接手段５０を用いて、按摩球８０が長桿１０に位置決めされる。
【００３０】
並びに、連接手段５０が異なる位置のネジ孔８０１〜８３１に結合されることにより、按摩球８０の任意の突出物を主要な按摩表面として選択でき、異なる按摩力及び按摩感覚を創造できる。
【００３１】
そのうち、連接手段５０を按摩球８０の中心ネジ孔８０１に結合させる時、按摩球８０の連接手段５０の螺旋位置において回転させることで、速やかに任意の角度の突出物を主要な按摩表面として選択でき、按摩球を取り外してネジ孔位置を交換する必要がない。
【００３２】
上述の本考案の好ましい実施例の按摩装置は、そのうち、長桿１０及び延伸桿７０の尾端に環形の凹溝１７、７３を具え、図７に示されるようであり、凹溝１７、７３は摩擦力を高め、按摩操作時の安定した握持及び滑り止めの機能を提供する。当然、上述の機能の其の他の設計はいずれも長桿１０に応用可能で、例えば顆粒を具えた桿面、押し紋を具えた桿面、或いは螺旋桿面等である。
【００３３】
このほか、本考案の好ましい実施例の長桿１０はその頭端が傾斜するテーパ型とされ、これにより、良好な按摩操作角度を獲得するが、これは絶対必要な設計ではなく、等幅の長桿でも、上述の本考案の按摩装置の操作効果を達成できる。
【００３４】
以上述べたことは、本考案の実施例にすぎず、本考案の実施の範囲を限定するものではなく、本考案の実用新案登録請求の範囲に基づきなし得る同等の変化と修飾は、いずれも本考案の権利のカバーする範囲内に属するものとする。
【符号の説明】
【００３５】
１０  長桿
１１  調整孔
１２  位置決め溝
１２１  楔形
１３  端孔
１４  側孔
１５  強化層
１６  ネジ孔
１７  凹溝
２０  帯体
３０  フック体
４０  按摩球
５０  連接手段
６０  操作者
６１  肩部
６２  両手
６３  背部
６４  頸部
６５  腹部
６６  腿部
７０  延伸桿
７１  スクリュー
７２  結束帯
７３  凹溝
８０  按摩球
８１  角突出物
８２  球集合体突出物
８３  柱集合体突出物
８０１〜８３１  ネジ孔
【図１】
0003164595.tif 000003
【図２】
0003164595.tif 000004
【図３】
0003164595.tif 000005
【図４】
0003164595.tif 000006
【図５】
0003164595.tif 000007
【図６】
0003164595.tif 000008
【図７】
0003164595.tif 000009
【図８】
0003164595.tif 000010
【図９Ａ】
0003164595.tif 000011
【図９Ｂ】
0003164595.tif 000012